(57)【要約】      （修正有）【課題】マンホール位置を基準にした四方方位指示ができたり役所・名所・旧跡などの方位指示等標識指示がマンホール設置後でも自在にできるようにしたマンホール蓋構造を提供する。【解決手段】蓋体の方位等標識をすべき周位置にピース嵌装口１１を形成して該孔内に方位案内標識ピース１２を嵌め込み固着するようにした。【選択図】図１
0003213393.tif 000002
【実用新案登録請求の範囲】
【請求項１】
蓋体の方位等標識をすべき周位置にピース嵌装孔を形成して該孔内に方位案内標識ピースを嵌め込み固着するようにしたマンホール蓋構造。
【考案の詳細な説明】
【技術分野】
【０００１】  本考案は、マンホール蓋構造に関する。
【背景技術】
【０００２】  マンホール蓋は、埋設されたマンホール蓋受枠の穴内に開閉式にセットされている。このマンホール蓋構造についての発明は特許文献１に開示されている。【０００３】
【特許文献１】特開平５−３１１６８７号
【考案の概要】
【考案が解決しようとする課題】
【０００４】  特許文献１に係る発明に開示された蓋構造のマンホール蓋は、マンホール蓋受枠の頂よりも低くしておくことで除雪板の通過を妨げることがないようにしたものであるが、このマンホール蓋表面自体には特別な工夫はなく、例えば、当該自治体が指定する花や木あるいは自治体マークなどが描かれている。
しかし、このマンホール蓋はそのままでは単機能なものに終始し、他に何の機能もないものである。【０００５】  本考案は、こうした問題を解決しようとするものであり、マンホール位置を基準にした四方方位指示ができたり役所・名所・旧跡などの方位指示ができるようにしたマンホール蓋構造を提供することを目的とする。
【課題を解決するための手段】
【０００６】  本考案は上記目的を達成するため、請求項１に記載の考案は、蓋体の方位等標識をすべき周位置にピース嵌装孔を形成して該孔内に方位案内標識ピースを嵌め込み固着するようにした。
【考案の効果】
【０００７】  上述したように請求項１に記載の考案は、蓋体の方位等標識をすべき周位置にピース嵌装孔を形成して該孔内に方位案内標識ピースを嵌め込み固着するようにしたので、マンホール位置を基準にした四方方位指示ができたり役所・名所・旧跡などの方位指示等標識指示がマンホール設置後でも自在にできるようにしたマンホール蓋構造を提供することができる。
【図面の簡単な説明】
【０００８】
【図１】  本考案の一実施形態であるマンホール蓋構造を示す平面図。
【図２】  方位指示方式の一例を示す斜視図。
【図３】  他の実施形態を示す斜視図。
【図４】  他の実施形態を示す一部拡大平面図。
【図５】  他の実施形態を示す一部拡大平面図。
【図６】  他の実施形態を示す横断面図。
【図７】  他の実施形態を示す斜視図。
【考案を実施するための形態】
【０００９】  以下、本考案であるマンホール蓋構造の一実施形態を図１および図２に従って説明する。
これらの図において、１は歩道あるいは車道の基盤で、通常はアスファルト基盤となっている。ここでは基盤１は歩道基盤とする。２はマンホール蓋受枠で、下周りのフランジ３とそれから立ち上がる竪胴４とを有するもので、竪胴４内は蓋収容穴５となっている。
【００１０】  蓋収容穴５内に開閉自在に嵌め込まれるマンホール蓋７には、例えば、近くの海・島の景色を模した絵柄８が一体に付され、その絵柄８の絵として下となる側に設けたヒンジ９により開閉自在に取付支持される一方上側となる側には内部ロック解除のため開閉ロッド（図示省略）が挿入される操作孔１０が設けられるとともにその下側内には開閉ロッドでオープン操作されるロック機構が設けられている。
マンホール蓋７およびマンホール蓋受枠２は、ヒンジ９のある側が地下下水管の下流向きＸに対応するようにして向き設定がなされるのが一般的であるが、のセットが機能上好ましい特定向きをなして歩道基盤１内に埋設設置される。
【００１１】  マンホール蓋受枠２とマンホール蓋７の設置施工後においては、蓋中央を基準にして四方方位であるＮ・Ｓ・Ｅ・Ｗを表示するに相応しい４点個所にピース嵌装口１１…を浅く丸形に座ぐり加工をし、その嵌装口１１内に各Ｎ・Ｓ・Ｅ・Ｗを記した方位案内標識ピース１２…を嵌装するようにする。
標識ピース１２の底面にはオネジ軸１２ａを付ける一方嵌装口１１側にはメネジ孔１１ａを施しておくことでねじ込みにより標識ピース１２を止め付けるようにする。
１３は標識ピース１２の表側に凹設した回し受孔で、標識ピース１２をねじ込んだあと最後に回しノック先端を打ち込み回すことでロックをかけるようにするものである。
【００１２】  標識ピース１２は、接着材を使って固着するようにしてもよい。標識ピース１２は金属材あるいは樹脂材とすることができる。
標識ピース１２はネジ止めによらず接着・嵌着などによって固着するようにしてもよい。
標識ピース１２の表示は、Ｎ・Ｓなどの英語頭文字一字であったが、図２に示す「↑」のような簡易記号標識であったり「北」「南」…などの漢字表示やひらがな、カタカナ表示であってもよい。
また、嵌装口１１は１個所のみとしそこに北を示す標識「↑」や漢字の「北」などを記した標識ピース１２を嵌装するようにしてもよい。
標識ピース１２は図３の右側に示すように嵌装口１１なしにマンホール蓋７表面に直接接着などで固着するようにしてもよい。
【００１３】  標識ピース１２の標識としては、図３のような「城（↑付き）」としたり、あるいは「市役所」（↑付き）を表示したものにしてもよい。「城」と「↑」のピースを別に形成し各個に形成したピース嵌装口１１に嵌め込んで一つの標識を形成するようにしてもよい。
【００１４】  前記「城（↑付き）」のように一文字の標識であればピース嵌装口１１が丸孔型に済んで事後成形がドリルで容易にできるものとなるが、「市役所」のように３文字や２文字、あるいは４文字以上となると、標識ピース１２が横長になりピース嵌装口１１も長四角な溝になって事後成形しにくいものとなるが、図４のように、「市役所」なる文字はマンホール蓋７に予め一体に成形しておき、方位を示す「↑」のみを標識ピース１２として別に嵌装固着し向きを決定するようにすれば複数文字の標識処理は工事容易にして行える。
【００１５】  図４の右欄のように、「大阪城」も複数文字であるが予め一体成形しておきその方位を示す標識ピース「↑」のみを別途事後嵌装するようすることができる。
また、図５に示すように、地理上の重要地点や名所旧跡などの標識が複数である場合には、「↑」の標識ピース１２も含めて各一文字ずつに分けて標識ピース１２…としそれらを嵌装式に固着するようにしてもよい。この方法は、数年後改めて標識が必要となった時点で容易に追加施工するのに便利なものになった。
【００１６】  図６は付加的な提案例を示すもので、２０は電柱で、その裾外周まわりに標識ピース２１を配備するようにしてもよい。
また、図７に示すように、モニュメント２３の台座２４上にも標識ピース２１を付すようにしてもよい。
【符号の説明】
【００１７】  １…基盤  ２…マンホール蓋受枠  ７…マンホール蓋  ８…絵柄  １１…ピース嵌装口  １２…方位案内標識ピース。
【図１】
0003213393.tif 000003
【図２】
0003213393.tif 000004
【図３】
0003213393.tif 000005
【図４】
0003213393.tif 000006
【図５】
0003213393.tif 000007
【図６】
0003213393.tif 000008
【図７】
0003213393.tif 000009